(57)【要約】【課題】ハゼ式折板屋根に用いて好適な軒樋吊具の座金を提供する。【解決手段】本発明は、隣接する屋根部材１２の側端部１３に形成されたハゼ部１３ａ、１３ｂ同士を互いに掛止させて形成されたハゼ式折板屋根１１に用いられ、ハゼ部Ｐの側方に形成された貫通孔に、ナット２３及び座金２４をもって上端部２１ａが固定される吊下ボルト２１と、該吊下ボルト２１の下端部２１ｂに固定されて軒樋１９を保持する樋保持体２２とを備えた軒樋吊具１０であって、座金２４は、ハゼ部Ｐ沿って平面視直線状に形成された縁部を有していることを特徴とする。【選択図】図１
2012007414.tif 000002
【特許請求の範囲】
【請求項１】
隣接する屋根部材の側端部に形成されたハゼ部同士を互いに掛止させて形成されたハゼ式折板屋根に用いられ、前記ハゼ部の側方に形成された貫通孔に、ナット及び座金をもって上端部が固定される吊下ボルトと、該吊下ボルトの下端部に固定されて軒樋を保持する樋保持体とを備えた軒樋吊具であって、
前記座金は、前記ハゼ部に沿って平面視直線状に形成された縁部を有していることを特徴とする軒樋吊具。
【請求項２】
請求項１に記載の軒樋吊具であって、
前記座金は、椀形部を備えた山座金とされ、前記ハゼ部に沿って平面視直線状に形成された縁部を有するとともに、
該椀形部の内部にシール部材を備えていることを特徴とする軒樋吊具。
【発明の詳細な説明】
【技術分野】
【０００１】
本発明は、折板屋根に用いられる軒樋吊具に関する。
【背景技術】
【０００２】
一般に、折板屋根の軒先に軒樋吊具を固定するには、該軒樋吊具を構成する吊下ボルトの上端部を折板屋根の山部に形成された貫通孔に挿通し、屋根の上下面からナットを緊締して行うが、この際、薄い鋼板の屋根板材がナットの緊締により変形したり、ナットが緩んでしまったりすることを防止するために、ナットと屋根板材との間に座金を介在させて緊締するようにしている。このような従来の軒樋吊具としては、例えば下記特許文献１に開示された軒樋吊具が提案されている。
【０００３】
図５に示すように、特許文献１に開示された従来の軒樋吊具１は、吊下ボルト２、樋保持体３、及びこれらを固定するナット４、４・・、屋根部材５の上面側に配置される山座金６ａ、同下面側に配置される平座金６ｂ、パッキン材７とから構成されている。
この軒樋吊具１の吊下ボルト２は、その上端部２ａが屋根部材５の山部５ａの孔８に挿通され、平座金６ｂとナット４が屋根部材５の下面側に配置され、パッキン材７、山座金６ａ、ナット４がこの順で屋根部材５の上面側に配置され、ナット４、４が緊締されることにより屋根部材５を上下から挟むようにして固定されている。また、吊下ボルト２の下端部２ｂにおいては、軒樋９を吊下げ支持する樋保持体３がナット４、４によって固定、保持されている。
【先行技術文献】
【特許文献】
【０００４】
【特許文献１】特開２０００−１６０７８２号公報
【発明の概要】
【発明が解決しようとする課題】
【０００５】
ところで、上記の軒樋吊具１は、平坦な山部を有する折板屋根には支障なく用いることができるが、ハゼ式折板屋根に用いる場合には、該ハゼ式折板屋根の山部に凸条のハゼ部が形成されているため、このハゼ部に掛からない小径の座金を用いなければならない。
しかし、座金として小径のものを用いた場合には、ナットの緊締による圧が小さな座金に集中し、屋根部材の変形を適切に防止しにくかったり、座金が山座金の場合には、山座金の形状が潰れやすくなったりするおそれがあった。
【課題を解決するための手段】
【０００６】
上記目的を達成するために、この発明は以下の手段を提供している。
請求項１の発明は、隣接する屋根部材の側端部に形成されたハゼ部同士を互いに掛止させて形成されたハゼ式折板屋根に用いられ、前記ハゼ部の側方に形成された貫通孔に、ナット及び座金をもって上端部が固定される吊下ボルトと、該吊下ボルトの下端部に固定されて軒樋を保持する樋保持体とを備えた軒樋吊具であって、前記座金は、前記ハゼ部に沿って平面視直線状に形成された縁部を有していることを特徴とする。
【０００７】
請求項２に記載の発明は、前記座金は、椀形部を備えた山座金とされ、前記ハゼ部に沿って平面視直線状に形成された縁部を有するとともに、該椀形部の内部にシール部材を備えていることを特徴とする。
【発明の効果】
【０００８】
請求項１に記載の軒樋吊具によれば、平面視直線状に形成された縁部をハゼ部に沿わせ座金を近接配置することが可能となるため、座金が屋根部材を覆う領域を大きくすることが可能となり、ナットを緊締した際に生じる圧の分散を図って屋根部材の変形を適切に防止することが可能となるという効果を奏する。
【０００９】
請求項２に記載の軒樋吊具によれば、平面視直線状に形成された縁部をハゼ部に沿わせ座金を近接配置することが可能であるため、山座金が屋根部材を覆う領域を大きくすることが可能となり、ナットを緊締した際に生じる圧の分散を図って屋根部材の変形を適切に防止するとともに、ナットを堅固に緊締した場合にも山座金の形状が潰れ難いという効果を奏する。
また、座金の椀形部の内部にシール部材を備えているので屋根部材の貫通孔付近を水密構造とすることができ、雨水等の浸入を防止することができるという効果を奏する。
【図面の簡単な説明】
【００１０】
【図１】は、本発明の実施形態として示した軒樋吊具をハゼ式折板屋根に取り付けた状態を示す正面図である。
【図２】は、本発明の実施形態として示した軒樋吊具を示す側面図である。
【図３】（ａ）は、本発明の実施形態として示した軒樋吊具の座金を示した平面図であり、（ｂ）は同正面図、（ｃ）は同正断面図である。
【図４】は、本発明の実施形態として示した軒樋吊具をハゼ式屋根部材に取り付けた状態の一部を示した正断面図であり、（ａ）はナット緊締前の状態を示した図であり、（ｂ）は、ナット緊締後の状態を示した図である。
【図５】は、従来の軒樋吊具を示す側面図である。
【発明を実施するための形態】
【００１１】
以下、図を参照して本発明の実施形態について説明する。
図１は、本発明の一実施形態を示す図であって、本発明による軒樋吊具１０を折板屋根１１に設置した状態を示す一部断面図である。
【００１２】
図１に示すように、折板屋根１１は、断面が略Ｖ字上に形成された複数の屋根部材１２を隣接させ、隣接する屋根部材１２、１２の側端部１３同士を連結させて形成されたものである。
屋根部材１２は、互いに接近するように下方に傾斜した傾斜部１４、１４と、これらの傾斜部１４、１４の間に亘って水平に形成された谷部１５と、傾斜部１４の上端から水平に張り出した山部１６と、山部１６のそれぞれの側端部１３、１３に形成された上ハゼ部１３ａ、及び下ハゼ部１３ｂとが一方向に延在するように形成されたものである。
各屋根部材１２は、上ハゼ部１３ａと下ハゼ部１３ｂにそれぞれ隣接する他の屋根部材１２の下ハゼ部１３ｂと上ハゼ部１３ａを掛止し、カシメられて折板屋根１１を形成している。上ハゼ部１３ａと下ハゼ部１３ｂとを掛止しカシメて形成されたハゼ部Ｐは、平面視した場合、その側端縁が直線状に一方向に延在している。
【００１３】
屋根部材１２の傾斜部１４には、その上部に一方向に延在して形成された凹条１７が形成されており、折板屋根１１を支持し梁に固定するタイトフレーム１８の上端が係合可能とされている。
軒樋１９は、図２に示すように、底壁１９ａ及び立ち上がり壁１９ｂ、１９ｂを備えており、立ち上がり壁１９ｂ、１９ｂの上端部には耳部１９ｃ、１９ｃが形成されている。
【００１４】
軒樋吊具１０は、吊下ボルト２１と、この吊下ボルト２１の上端部２１ａを折板屋根１１の山部１６に固定するナット２３、２３、山座金２４、２４、及び上側の山座金２４の内に配置されたシール部材（不図示）と、この吊下ボルト２１の下端部２１ｂに固定される樋保持体２２と、吊下ボルト２１と樋保持体２２とを固定するナット２３、２３とを備えて構成されている。
【００１５】
吊下ボルト２１は、上端部２１ａと下端部２１ｂの外周面が雄螺子部とされた棒ネジであり、折板屋根１１の山部１６と谷部１５との間寸法より長く、折板屋根１１に固定された状態で、谷部１５の位置から所定寸法下方へ突出し、その下端部２１ｂに軒樋１９を固定できるようになっている。
【００１６】
樋保持体２２は、帯状に形成された板部材を曲げ加工し、軒樋１９を保持するように形成されたものであり、吊下ボルト２１を挿通させる挿通孔２６が設けられた水平壁部２２ａと該水平壁部２２ａの両端部から上方に延出した立ち上がり壁部２２ｂ、２２ｂと、立ち上がり壁部２２ｂ、２２ｂの端部に形成され、軒樋１９の耳部１９ｃ、１９ｃを係止させる係止壁部２２ｃ、２２ｃとを備えている。
【００１７】
図３は、山座金２４を示す図であり、（ａ）は平面図、（ｂ）は正面図、（ｃ）は正断面図である。
山座金２４は、図３（ａ）、（ｂ）に示すように、吊下ボルト２１を挿通させるボルト挿通孔４０を備えた平坦な天板部４１と、天板部４１の外周縁４５から下方に向かって拡開するように延びた周壁部４２と、周壁部４２の下端縁４６から外方に向かって水平に張り出した張出部４４とを備えている。
【００１８】
天板部４１とこの天板部４１を囲む周壁部４２とは、図３（ｃ）に示すように、その内部に空間Ｓを有する椀形部４３を形成している。
【００１９】
この山座金２４は、図１に示すように屋根部材１２に吊下ボルト２１の上端部２１ａをナット２３、２３により固定する際に該上端部２１ａに装着して用いるものであるが、吊下ボルト２１の上端部２１ａが屋根部材１２の上下ハゼ部１３ａ、１３ｂからなるハゼ部Ｐの近傍に固定される関係から、ハゼ部Ｐを避けて設置を可能とする一方、屋根部材１２に対し広い領域をカバーして接触することにより、強いナットの緊締強度を確保できるようにハゼ部Ｐに沿って平面視直線状に形成された縁部Ｑを有している。
【００２０】
山座金２４の形状は、その形状が、図３（ａ）〜（ｃ）に示すように、平面視したときに（この山座金２４をボルト挿通孔４０の軸線方向に見たときに）、天板部４１の外周縁４５（周壁部４２の上端縁）、周壁部４２の下端縁４６、張出部４４の外周縁４７がそれぞれ略楕円形状とされているが、これら外周縁４５、下端縁４６、外周縁４７の一部を構成する縁部Ｑが楕円形状の長軸Ｍと平行に位置し、かつボルト挿通孔４０の軸線と平行に位置する仮想面Ｎに沿って直線状に切截された形状とされ、ハゼ部Ｐに沿うように近接させて配置できるようになっている。
【００２１】
すなわち、天板４１の外周縁４５は、仮想面Ｎに沿う直線状の縁部４５ａを備え、張出部４４の外周縁４７は、仮想面Ｎに沿う直線状の縁部４７ａを備えている。
また、周壁部４２は、その上端縁４５に仮想面Ｎに沿う直線状の縁部４５ａを備え、下端縁４６に仮想面Ｎに沿う直線状の縁部４６ａを備えているので、これら上端縁４５ａ、下端縁４６ａ間の壁面４８が、平面視したときに図３（ａ）に示すように略直線状の壁面となっている。
この構成において、周壁部４２は、図３（ｃ）に示すように、張出部４４からの立上り角度は、壁面４８の形成された部分の方が他の部分よりも急峻な角度となっている。また、天板部４１に形成されたボルト挿通孔４０は、天板部４１の外周縁４５に形成される略楕円形状の短軸方向において、壁面４８の縁部４５ａ寄りに位置している。
【００２２】
上記の軒樋吊具１０において、吊下ボルト２１、ナット２３、山座金２４は、鉄、ステンレス等の金属材料により形成されている。
【００２３】
図４（ａ）、（ｂ）に示すシール部材２５は、有機天然繊維を主原料としたフェルト状の原紙にアスファルトを浸透させた防水材であり、同図（ｂ）に示すように、屋根部材１２の上面に配置される山座金２４の空間Ｓに詰められて、屋根部材１２の山部１６に形成された貫通孔３０から雨水が浸入するのを防止するものである。
【００２４】
次に、上記の構成からなる軒樋吊具１０を用いて折板屋根１１に軒樋１９を設置する方法について説明する。
軒樋吊具１０を構成する図２に示す各部材のうち、吊下ボルト２１の上端部２１ａに一組のナット２３及び山座金２４を、該山座金２４の張出部４４が屋根部材１２の下面に当接する向きにして取り付け、その下端部２１ｂにナット２３、２３により樋保持体２２を仮留め状態で取り付けておく。
【００２５】
次に、軒樋１９の設置位置に合わせて、折板屋根１１の山部１６に吊下ボルト２１を固定するための貫通孔３０を形成する。
【００２６】
貫通孔３０に対し、上記各部材が取り付けられた状態の吊下ボルト２１の上端部２１ａを折板屋根１１の山部１６の下方から挿入し、図４（ａ）に示すように、山部１６から突出させた上端部２１ａにシール部材２５の孔２５ａ、山座金２４のボルト挿通孔４０を相対的に挿通させる。そして、屋根部材１２の上面側に螺入されたナット２３を螺合、緊締し、図４（ｂ）に示すように、山座金２４の椀形部４３内にシール部材２５を詰めた状態にして吊下ボルト２１の上端部２１ａを山部１６に固定する。この際、シール部材２５の端部は山座金２４からはみ出ていても良い。
【００２７】
吊下ボルト２１の下端部２１ｂには、樋保持体２２が仮留め保持されているので、図２に示すように軒樋１９が所定の高さ位置に設置されるように樋保持体２２の固定位置を調節した後、ナット２３、２３を本締めし、樋保持体２２を吊下ボルト２２に強固に固定する。
かくして軒樋吊具１０の折板屋根１１への固定が完了するので、同様にして軒樋吊具１０を所定の間隔で折板屋根１１に取り付けた後、軒樋１９の耳部１９ｃ、１９ｃを樋保持体２２の係止壁部２２ｃ、２２ｃに係止させて、軒樋吊具１０及び軒樋１９の施工作業が完了する。
【００２８】
上記の軒樋吊具１０によれば、縁部Ｑを構成する縁部４５ａ、４６ａ、４７ａが平面視直線状に形成され、これらをハゼ部Ｐに沿わせて近接配置することが可能であるため、山座金２４が屋根部材１２を覆う領域を大きくすることが可能となり、ナット２３を緊締した際に生じる圧の分散を図って屋根部材１２の変形を適切に防止するとともに、ナット２３を堅固に緊締した場合にも山座金２４の形状が潰れ難いという効果が得られる。
また、山座金２４の椀形部４３の内部にシール部材２５を備えているので屋根部材１２の貫通孔２６付近を水密構造とすることができ、雨水等の浸入を防止することができるという効果を奏する。
【００２９】
また、椀形部４３に形成された壁面４８を有する壁部が他の部分よりも急峻に形成されているため、ボルト挿通孔４０が天板部４１の短軸方向かつ壁面４８寄りに形成されていても、ナット２３の緊締圧によって該壁面４８を有する周壁部４２がつぶれ難く、確実にナット２３の圧を受けることができる。
【００３０】
上記の実施形態において、山座金２４は、平面視略楕円形に形成されているがこれに限られるものではなく、正円形、その他略矩形形状等に形成されたものであっても良い。
また、本実施形態においては、天板部４１の外周縁４５、周壁部４２の下端縁４６、及び張出部４４の外周縁４７の全てが直線状に形成された縁部４５ａ、４６ａ、４７ａを有した構成とされているが、これに限られるものではなく、屋根部材１２のハゼ部Ｐの形成位置又は山座１６における山座金２４の配置スペースに応じて適宜直線状に形成される外周縁を形成すればよく、例えば山座金２４の配置スペースが比較的十分にある場合には、張出部４４の外周縁４７の一部の４７ａのみを直線状に形成したものであっても良い。
また更に、屋根部材１２の下面側にも山座金２４が用いられているが、屋根部材１２の下面に配置される座金は、平座金であっても良い。  
【符号の説明】
【００３１】
１０    軒樋吊具
１１    ハゼ式折板屋根
１２    屋根部材
１３    側端部
１３ａ  上ハゼ部
１３ｂ  下ハゼ部
１９    軒樋
２１    吊下ボルト
２１ａ  上端部
２１ｂ  下端部
２２    樋保持体
２３    ナット
２４    山座金（座金） 
２５    シール部材
３０    貫通孔
４０    ボルト挿通孔
４３    椀形部
４５ａ  縁部
４６ａ  縁部
４７ａ  縁部
Ｐ      ハゼ部
Ｑ      縁部
【図１】
2012007414.tif 000003
【図２】
2012007414.tif 000004
【図３】
2012007414.tif 000005
【図４】
2012007414.tif 000006
【図５】
2012007414.tif 000007